(57)【要約】【課題】  自律的に電力の供給を制御可能な情報処理装置において、電源投入から処理の開始までの時間を短縮し、より迅速に処理を行うこと。【解決手段】  情報処理装置１は、各機能部に電力を供給しない状態を基本とし、動作が必要な場合にのみ電力を供給して処理を行わせる。そして、このとき、電力の供給、クロックの供給およびリセット信号の解除を経る電源投入シーケンスが実行されると共に、電源投入シーケンスにおいては、各機能部において動作が可能な場合に、ＲＥＡＤＹ信号が出力される。したがって、情報処理装置１の各部において電源が切断された状態を基本とし、入力操作等に対応して電源の投入が繰り返される場合であっても、電源の投入から処理の開始までの待ち時間を短縮することができ、より迅速に処理を行うことが可能となる。【選択図】  図３
2006048570.tif 000002
【特許請求の範囲】
【請求項１】
装置を構成する各機能部における電力の供給を自律的に制御する情報処理装置であって、
各機能部における処理の必要が生じた場合に、該機能部に対して電力を供給し、電力の供給が安定した後、該機能部にクロックを供給し、さらに該機能部に対して動作の可否を示すリセット信号を動作が許可されていることを示す状態に変更し、引き続いて前記処理の実行を指示する制御信号を該機能部に入力する電源投入シーケンスを実行するマネジメント部を備え、
前記機能部は、前記マネジメント部によって、動作が許可されていることを示す状態に前記リセット信号が変更された後、該機能部において処理の実行が可能な状態となったことを示すＲＥＡＤＹ信号を送信するＲＥＡＤＹ信号送信手段を備え、
前記マネジメント部は、前記電源投入シーケンスにおいて、処理の必要が生じた前記機能部についての前記リセット信号を、動作が許可されていることを示す状態に変更した後、該機能部に備えられた前記ＲＥＡＤＹ信号送信手段からＲＥＡＤＹ信号を受信することに対応して、前記制御信号を該機能部に入力すると共に、処理の終了に対応して、該機能部における電力の供給を停止することを特徴とする情報処理装置。
【請求項２】
前記機能部には、他の機能部に指示を与えることにより装置全体を制御する実行制御部が含まれ、
前記マネジメント部は、
いずれかの前記機能部における処理の必要が生じた場合に、前記実行制御部に対して前記電源投入シーケンスを実行し、処理の実行が可能となった該実行制御部が他の前記機能部に指示を与える場合に、その対象となる前記機能部に対して前記電源投入シーケンスを実行することを特徴とする請求項１記載の情報処理装置。
【請求項３】
前記マネジメント部は、前記実行制御部における処理が終了した場合、前記実行制御部が指示を与えた前記機能部が処理の実行中であるか否かに関わらず、前記実行制御部に対する電力の供給を停止することを特徴とする請求項１または２記載の情報処理装置。
【請求項４】
所定の前記機能部からなり、電力の供給を行う際の制御単位となるパワーマネジメントドメインが複数構成され、
前記マネジメント部は、所定の機能部における処理の必要が生じた場合に、該機能部を含むパワーマネジメントドメインごとに電力を供給することを特徴とする請求項１記載の情報処理装置。
【請求項５】
装置を構成する各機能部における電力の供給を自律的に制御する情報処理装置における電源投入方法であって、
前記情報処理装置は、各機能部における処理の必要が生じた場合に、該機能部に対して電力を供給し、電力の供給が安定した後、該機能部にクロックを供給し、さらに該機能部に対して動作の可否を示すリセット信号を動作が許可されていることを示す状態に変更し、引き続いて前記処理の実行を指示する制御信号を該機能部に入力する電源投入シーケンスを実行するマネジメントステップと、
前記マネジメントステップにおいて、動作が許可されていることを示す状態に前記リセット信号が変更された後、該機能部において処理の実行が可能な状態となったことを示すＲＥＡＤＹ信号を前記機能部から送信するＲＥＡＤＹ信号送信ステップと、
前記電源投入シーケンスにおいて、処理の必要が生じた前記機能部についての前記リセット信号を、動作が許可されていることを示す状態に変更した後、該機能部から前記ＲＥＡＤＹ信号が送信されることに対応して、前記制御信号を該機能部に入力すると共に、処理の終了に対応して、該機能部における電力の供給を停止することを特徴とする電源投入方法。
【発明の詳細な説明】
【技術分野】
【０００１】
本発明は、装置内部における電力の供給を自律的に制御可能な情報処理装置およびその電源投入方法に関する。
【背景技術】
【０００２】
近年、コンピュータシステム技術の分野においては、処理を行っていない場合に装置内部における電力の供給を停止し、装置に対する入力操作が行われた場合等、処理の必要が生じた場合に、瞬時に電力の供給を再開することにより、待機時における消費電力を削減する電力制御技術が開発されている。
例えば、ＰＤＡ（Personal Digital Assistant）等の携帯型の機器においては、一定時間操作が行われない場合、ＣＰＵが低周波数で動作すると共に、周辺回路への電力の供給を停止する低消費電力モードに自動的に移行し、操作が行われた場合に、通常の状態に復帰して処理を行うことにより、待機時の消費電力の削減を図るものが知られている。
【０００３】
このような装置においては、ボタンの操作等が行われると、電力の供給、クロックの供給、操作に対応する信号の入力という手順で処理が行われる。
図６は、ボタンの操作等が行われた場合に周辺回路に電力が供給される手順を表すシーケンス図である。
図６において、電源から電力が供給された後、電力レベルが安定するための時間ｔaを待ってからクロックの供給が開始される。
【０００４】
また、クロックの供給が開始された後、クロックの状態が安定するための時間ｔbを待ってから、周辺回路に対するリセット（動作を抑制する状態）を解除する。
周辺回路に対するリセットの解除後、周辺回路の内部状態を初期化するための所定の初期化手順を実行するための時間ｔcを待ってから、周辺回路に対して、ボタン操作等に対応する信号の入力が行われる。
【０００５】
この待ち時間ｔa，ｔb，ｔcは、予め想定された所定の時間であり、電力やクロックが安定するために十分な時間が確保されている。
なお、このような電源投入手順に関する技術が、特開平５−３０３４４０号公報に記載されている。
【特許文献１】特開平５−３０３４４０号公報
【発明の開示】
【発明が解決しようとする課題】
【０００６】
しかしながら、特許文献１に記載された技術を含め、従来の技術においては、電力供給後、電力レベルが安定するまでの待ち時間（例えば上記時間ｔa）や、クロックの供給後、クロックの状態が安定するまでの待ち時間（例えば上記時間ｔb）あるいはリセット信号解除後の初期化手順の終了を待つための待ち時間（例えば上記時間ｔc）は、予め想定した所定時間とされていた。
【０００７】
そのため、電力制御により電源が切断された状態においてユーザがボタン操作等を行った後、操作に対応する処理が実行されるまでに、一定の固定的な時間を要することとなり、迅速な処理を行うことが困難であった。
本発明の課題は、自律的に電力の供給を制御可能な情報処理装置において、電源投入から処理の開始までの時間を短縮し、より迅速に処理を行うことである。
【課題を解決するための手段】
【０００８】
以上の課題を解決するため、本発明は、
装置を構成する各機能部における電力の供給を自律的に制御する情報処理装置であって、各機能部（例えば、図２に示す各機能部）における処理の必要が生じた場合に、該機能部に対して電力を供給し、電力の供給が安定した後、該機能部にクロックを供給し、さらに該機能部に対して動作の可否を示すリセット信号を動作が許可されていることを示す状態に変更し（例えば、リセット信号をハイレベルとし）、引き続いて前記処理の実行を指示する制御信号を該機能部に入力する電源投入シーケンスを実行するマネジメント部（例えば、図２のパワーマネジメント回路１０）を備え、前記機能部は、前記マネジメント部によって、動作が許可されていることを示す状態に前記リセット信号が変更された後、該機能部において処理の実行が可能な状態となったことを示すＲＥＡＤＹ信号を送信するＲＥＡＤＹ信号送信手段を備え、前記マネジメント部は、前記電源投入シーケンスにおいて、処理の必要が生じた前記機能部についての前記リセット信号を、動作が許可されていることを示す状態に変更した後、該機能部に備えられた前記ＲＥＡＤＹ信号送信手段からＲＥＡＤＹ信号を受信することに対応して、前記制御信号を該機能部に入力すると共に、処理の終了に対応して、該機能部における電力の供給を停止することを特徴としている。
【０００９】
このような構成により、情報処理装置においては、各機能部に電力を供給しない状態を基本とし、動作が必要な場合にのみ電力を供給して処理を行わせる。そして、このとき、電力の供給、クロックの供給およびリセットの解除を経る電源投入シーケンスが実行されると共に、電源投入シーケンスにおいては、各機能部において動作が可能な場合に、ＲＥＡＤＹ信号が出力される。
【００１０】
したがって、各機能部において電源が切断された状態を基本とし、入力操作等に対応して電源の投入が繰り返される場合であっても、電源の投入から処理の開始までの待ち時間を短縮することができ、より迅速に処理を行うことが可能となる。
また、前記機能部には、他の機能部に指示を与えることにより装置全体を制御する実行制御部（例えば、図２におけるＣＰＵ２０）が含まれ、前記マネジメント部は、いずれかの前記機能部における処理の必要が生じた場合に、前記実行制御部に対して前記電源投入シーケンスを実行し、処理の実行が可能となった該実行制御部が他の前記機能部に指示を与える場合に、その対象となる前記機能部に対して前記電源投入シーケンスを実行することを特徴としている。
【００１１】
このような構成により、電力が供給されていない実行制御部に電源を投入した後、その実行制御部が処理の実現に必要な機能部に対して適切なタイミングで電源の投入および電力の供給停止を行うことができ、より効率的な処理を行うことが可能となる。
また、前記マネジメント部は、前記実行制御部における処理が終了した場合、前記実行制御部が指示を与えた前記機能部が処理の実行中であるか否かに関わらず、前記実行制御部に対する電力の供給を停止することを特徴としている。
【００１２】
このような構成により、ＣＰＵ等の消費電力が大きいハードウェアによって構成される実行制御部についても、電力を供給しない状態を基本とすることができることから、情報処理装置をより低消費電力な装置とすることが可能となる。
また、所定の前記機能部からなり、電力の供給を行う際の制御単位となるパワーマネジメントドメインが複数構成され、前記マネジメント部は、所定の機能部における処理の必要が生じた場合に、該機能部を含むパワーマネジメントドメインごとに電力を供給することを特徴としている。
【００１３】
このような構成により、処理を実行する上で、同時に動作する可能性の高い機能部あるいは一連の処理を行う機能部等、機能的に密接な関係を有する機能部を一まとまりとして実行可能な状態とできるため、それぞれの機能部に順次電源投入シーケンスを実行する場合に比べ、より迅速に処理を行うことが可能となる。
また、本発明は、
装置を構成する各機能部における電力の供給を自律的に制御する情報処理装置における電源投入方法であって、前記情報処理装置は、各機能部における処理の必要が生じた場合に、該機能部に対して電力を供給し、電力の供給が安定した後、該機能部にクロックを供給し、さらに該機能部に対して動作の可否を示すリセット信号を動作が許可されていることを示す状態に変更し、引き続いて前記処理の実行を指示する制御信号を該機能部に入力する電源投入シーケンスを実行するマネジメントステップと、前記マネジメントステップにおいて、動作が許可されていることを示す状態に前記リセット信号が変更された後、該機能部において処理の実行が可能な状態となったことを示すＲＥＡＤＹ信号を前記機能部から送信するＲＥＡＤＹ信号送信ステップと、前記電源投入シーケンスにおいて、処理の必要が生じた前記機能部についての前記リセット信号を、動作が許可されていることを示す状態に変更した後、該機能部から前記ＲＥＡＤＹ信号が送信されることに対応して、前記制御信号を該機能部に入力すると共に、処理の終了に対応して、該機能部における電力の供給を停止することを特徴としている。
【００１４】
本発明によれば、自律的に電力の供給を制御可能な情報処理装置において、電源投入から処理の開始までの時間を短縮し、より迅速に処理を行うことが可能となる。
【発明を実施するための最良の形態】
【００１５】
以下、図を参照して本発明に係る情報処理装置の実施の形態を説明する。
まず、構成を説明する。
図１は、本発明に係る情報処理装置１の外観構成を示す図である。
なお、本実施の形態においては、情報処理装置１が電子ブックのコンテンツを閲覧するための電子ブックリーダとして構成された場合について説明する。
【００１６】
図１において、情報処理装置１は、本体２と、ディスプレイ３と、ページ戻りボタン４と、ページめくりボタン５と、一覧表示ボタン６と、決定ボタン７と、通信コネクタ８と、メモリカードスロット９とを含んで構成される。
本体２は、情報処理装置１を構成する各種機能部を備えており、前面には、ディスプレイ３と、ページ戻りボタン４と、ページめくりボタン５と、一覧表示ボタン６と、決定ボタン７とを備え、左側面には、通信コネクタ８と、メモリカードスロット９とを備えている。また、本体２は、内部に後述するＣＰＵ２０あるいはディスプレイコントローラ７０といった各種機能を実現するための装置を備えている。
【００１７】
ディスプレイ３は、例えばＡ４サイズの高画素密度（多ピクセル）である表示装置によって構成され、ディスプレイコントローラ７０の制御に応じて、所定画素に画素データを表示する。
また、ディスプレイ３は、記憶性の表示装置（電源を切断しても表示画面が維持される表示装置）である。そのため、表示画面の状態を維持するためには電力が不要となることから、情報処理装置１をより低消費電力化することができる。
【００１８】
なお、ディスプレイ３として、例えば、電気泳動ディスプレイ、コレステリック液晶ディスプレイ、帯電トナーを利用したディスプレイ、ツイストボールを利用したディスプレイあるいはエレクトロデポジションディスプレイ等が採用可能である。
ページ戻りボタン４は、現在表示されているページを戻すためのボタンであり、ページめくりボタン５は、現在表示されているページを進めるためのボタンである。
【００１９】
一覧表示ボタン６は、メモリカードに記憶されているコンテンツに含まれるページを一覧表示させるためのボタンである。なお、メモリカードに記憶されているコンテンツには、一覧表示用のページとして、各ページの画面が縮小されたデータ（以下、「縮小画面データ」という。）が記憶されている。
決定ボタン７は、ユーザが全面表示させるページを選択するためのボタンである。
【００２０】
これら、ページ戻りボタン４、ページめくりボタン５、一覧表示ボタン６および決定ボタン７の押下信号は、後述するパワーマネジメント回路１０を介して、ＣＰＵ２０に入力される。
通信コネクタ８は、ＵＳＢ（Universal Serial Bus）ケーブルを接続するためのコネクタであり、接続された通信ケーブルを介して、情報の送受信あるいは電力の供給を受けることが可能となる。
【００２１】
メモリカードスロット９は、メモリカードを読み書きするためのインターフェースであり、電子ブックのコンテンツを記憶したメモリカードが装着されることにより、そのメモリカードに記憶されたコンテンツを読み込むことが可能となる。
次に、情報処理装置１の内部構成について説明する。
図２は、情報処理装置１の内部構成を示す機能ブロック図である。
【００２２】
図２において、情報処理装置１は、パワーマネジメント回路１０と、ＣＰＵ２０と、ＲＯＭ（Read Only Memory）３０と、ＮＶＲＡＭ４０と、ＲＡＭ５０と、グラフィックアクセラレータ（以下、「ＧＡ」という。）６０と、ディスプレイコントローラ７０と、メモリカードコントローラ８０と、通信コントローラ９０とを含んで構成される。なお、パワーマネジメント回路１０を除くこれらの各機能部はバス１００によって接続され、パワーマネジメント回路１０は、ＣＰＵ２０と直接接続されている。また、パワーマネジメント回路１０は、パワーマネジメントドメイン（後述）それぞれと、電力の供給を行うための給電ラインによって接続されている。さらに、パワーマネジメント回路１０は、各機能部とクロック制御線、リセット信号線およびＲＥＡＤＹ信号線によって接続されている。
【００２３】
情報処理装置１における各機能部は、電力の供給に関する複数のグループを構成しているため、初めに、このグループ（以下、「パワーマネジメントドメイン」という。）について説明する。
本発明に係る情報処理装置１は、各機能部に電力を供給しない状態を基本とし、動作が必要な場合にのみ電力を供給して処理を行わせ、処理の終了後には、再び電力の供給を停止する電力制御を行うものである。
【００２４】
このとき、入力された命令に応じた処理を実行する上で、同時に動作する可能性の高い機能部あるいは一連の処理を行う機能部等、機能的に密接な関係を有する機能部を同一のパワーマネジメントドメインとして電力の供給を行うこととし、他のパワーマネジメントドメインとは独立して電力の供給を制御する。
このように、機能的に密接な関係を有する機能部を同一のパワーマネジメントドメインとして電力制御を行うことにより、各機能部それぞれを対象として電力制御を行うより、回路規模および制御の容易性の面で有利なものとなる。
【００２５】
図２に示す機能構成においては、上述の観点から、ＣＰＵ２０を含むＣＰＵドメイン、ＲＯＭ３０およびＮＶＲＡＭ４０を含む不揮発性ドメイン、ＲＡＭ５０を含む揮発性ドメイン、ＧＡ６０、ディスプレイコントローラ７０およびディスプレイ３を含む描画ドメイン、メモリカードコントローラ８０を含むメモリカードドメイン、通信コントローラ９０を含む通信ドメインが形成されており、これら各ドメインを単位として、パワーマネジメント回路１０が給電を制御する。
【００２６】
続いて、図２に示す各機能部について説明する。
パワーマネジメント回路１０は、不図示のバッテリから供給された電力を受けて、所定のパワーマネジメントドメインに電力を供給する。
具体的には、パワーマネジメント回路１０は、ページ戻りボタン４、ページめくりボタン５、一覧表示ボタン６あるいは決定ボタン７の押下信号や、通信コネクタ８における通信ケーブルの接続あるいはメモリカードスロット９におけるメモリカードの接続を検出する信号を受けた場合、電力の供給が停止されているＣＰＵ２０に対して電力を供給する。そして、パワーマネジメント回路１０は、電力の供給が再開され、動作状態にあるＣＰＵ２０に対し、発生したイベント、即ち、いずれのボタンの押下信号が入力されたか、あるいは、通信ケーブルの接続が検出されたか、あるいは、メモリカードの接続が検出されたかのいずれかを示す信号（以下、「イベント通知信号」という。）を送信する。
【００２７】
また、パワーマネジメント回路１０は、ボタンが押下されること等によって、いずれかのパワーマネジメントドメインに対する電力の供給の必要が生じると、そのパワーマネジメントドメインに対して電力を供給し、パワーマネジメントドメインに対する電力の供給の必要がなくなると、そのパワーマネジメントドメインに対する電力の供給を停止する。
ここで、パワーマネジメント回路１０は、各機能部における処理の必要が生じた場合に、まず、その機能部を含むパワーマネジメントドメインに電力を供給し、続いてクロックを供給し、さらに、リセット信号の解除を行ってから、その機能部に処理の実行を指示する制御信号を出力する。
【００２８】
このとき、パワーマネジメント回路１０は、電力の供給開始後、電力レベルが安定するまでの所定時間Ｔaを待ってからクロックの供給を開始する。
また、パワーマネジメント回路１０は、クロックの供給開始後、クロックの状態が安定するまでの所定時間Ｔbを待ってからリセットを解除する。なお、リセット信号は、負論理で構成され、ローレベルの場合には、リセットがかかり動作を許可しない状態を示し、ハイレベルの場合には、リセットが解除され動作を許可する状態を示す。
【００２９】
さらに、パワーマネジメント回路１０は、リセットの解除後、原則として、各機能部の初期化が終了するまでの所定時間Ｔcを待ってから、制御信号を出力するものであるが、後述するように、各機能部において予定より早期に動作可能な状態となり、処理の実行について準備が完了したことを示すＲＥＡＤＹ信号を受信した場合には、ＲＥＡＤＹ信号の受信に対応して、制御信号を出力する。
【００３０】
なお、パワーマネジメント回路１０は、例えば低クロックで動作する小型のＦＰＧＡ（Field Programmable Gate Array）等、ＣＰＵ２０より低消費電力なハードウェアによって構成することが可能である。このような構成とすることにより、パワーマネジメント回路１０にのみ電力を常時供給しておけば、一般に消費電力の大きいＣＰＵ２０に対して電力を常時供給しておく必要がなくなる。
【００３１】
ＣＰＵ２０は、情報処理装置１全体を制御するものであり、ＲＯＭ３０に記憶された各種プログラムを読み出して実行する。例えば、ＣＰＵ２０は、パワーマネジメント回路１０を介して入力される各種信号に対応して、後述する情報処理装置１のシステム制御処理における各種処理のためのプログラムをＲＯＭ３０から読み出して実行する。そして、ＣＰＵ２０は、各種処理結果をＮＶＲＡＭ４０あるいはＲＡＭ５０の所定領域に格納する。
【００３２】
ＲＯＭ３０は、例えばフラッシュＲＯＭ等の不揮発性のメモリによって構成され、ＲＯＭ３０には、オペレーティングシステムプログラム（ＯＳ）および電子ブックのビューア等のアプリケーションプログラムが記憶されている。
ＮＶＲＡＭ４０は、ＦＲＡＭ（Ferroelectric Random Access Memory）あるいはＭＲＡＭ（Magnetoresistive Random AccessMemory）等の不揮発性のメモリによって構成され、例えば電子ブックのコンテンツが閲覧されている場合であれば、閲覧中のページ番号といったように、情報処理装置１の電源が切断された場合にも保存しておく必要のあるデータが記憶される。
【００３３】
なお、ＮＶＲＡＭ４０は、上述のように、電源によるバックアップが不要な不揮発性メモリで構成することが可能である他、ＳＲＡＭ等、揮発性のメモリを専用の電源でバックアップすることにより、擬似的な不揮発性メモリとする構成も採用可能である。
ＲＡＭ５０は、ＤＲＡＭ（Dynamic Random Access Memory）、ＳＲＡＭ（Static Random Access Memory）あるいはＳＤＲＡＭ（Synchronous DRAM）といった揮発性のメモリによって構成され、ＣＰＵ２０が処理を実行する際にワークエリアを形成すると共に、その処理結果を記憶する。
【００３４】
ＧＡ６０は、ＣＰＵ２０の命令に従って、ディスプレイ３に表示する画像の描画処理を高速に行うハードウェアである。具体的には、ＧＡ６０は、ＣＰＵ２０から入力されたベクトル図形をラスタ図形に展開するといった処理を行う。そして、ＧＡ６０は、描画処理を行った図形をディスプレイ３に描画するための描画データとしてディスプレイコントローラ７０に出力する。このとき、ＧＡ６０は、直接ディスプレイコントローラ７０に描画データを送ることができるが、ＲＡＭ５０やＮＶＲＡＭ４０に一旦描画データを格納してから送ることも可能である。この場合、ＲＡＭ５０やＮＶＲＡＭ４０に格納された描画データを後に再利用することが可能となる。
【００３５】
ディスプレイコントローラ７０は、ディスプレイ３を直接制御し、ＧＡ６０から入力された描画データをディスプレイ３に表示させる。
具体的には、ディスプレイコントローラ７０は、ＧＡ６０から入力された描画データを参照して、ディスプレイ３のＸドライバおよびＹドライバを駆動することにより、描画対象であるラスタ図形をディスプレイ３に表示させる。
【００３６】
メモリカードコントローラ８０は、メモリカードスロット９に備えられるインターフェース回路であり、ＣＰＵ２０の指示に従って、メモリカードに記録されたデータの読み書きを行う。
通信コントローラ９０は、通信コネクタ８に備えられるインターフェース回路であり、ＣＰＵ２０の指示に従って、通信ケーブルを介した情報の送受信を行う。
【００３７】
ここで、図２に示す各機能部は、パワーマネジメント回路１０によってリセットが解除された後、内部状態を初期化する初期化手順回路（不図示）を備えている。具体的には、この初期化手順回路は、リセット信号線の電圧レベルがローレベルからハイレベルに変化すると、各機能部の内部において情報を保持しているレジスタにデフォルト値をセットし、外部インターフェースを持っている場合は、所定の手順に沿って初期化信号を送信する。その後、処理の実行が可能な状態が確立したことを示すＲＥＤＹ信号をＲＥＡＤＹ信号線を介してパワーマネジメント回路１０に送信する。
【００３８】
次に、動作を説明する。
本実施の形態における情報処理装置１は、上述の構成の下、入力操作が行われた場合等、動作が必要な場合にのみ電源が投入され、必要な動作が終了すると、再び電源が切断された状態となる。そして、電源が投入される場合に、所定の電源投入シーケンスを経て、各機能部における処理に移行する。なお、このように電源が投入される場合、入力操作の内容に応じて、動作させる必要があるパワーマネジメントドメインにのみ電力が供給される。
【００３９】
まず、情報処理装置１における電源投入シーケンスについて説明する。
図３は、情報処理装置１において、各機能部に電源を投入する場合の電源投入シーケンスを示すタイミングチャートである。
なお、ここでは、電源が投入される機能部がＧＡ６０である場合を例に挙げて説明する。
【００４０】
図３において、パワーマネジメント回路１０がＧＡ６０における処理が必要であると判定した場合、時間Ｔwを待った後、まず、描画ドメインに電力を供給する（時刻ｔ１）。なお、このときの待ち時間Ｔwは、突入電流の集中を防ぐために設定されたタイミングパラメータである。
そして、パワーマネジメント回路１０は、電力レベルが安定した状態になるまでの時間（時間Ｔa）を待った後、描画ドメインに含まれる各機能部に対し、クロックの供給を開始する（時刻ｔ２）。
【００４１】
続いて、パワーマネジメント回路１０は、クロック信号が安定した状態になるまでの時間（時間Ｔb）を待った後、ＧＡ６０に対するリセットを解除する（時刻ｔ３）。
すると、パワーマネジメント回路１０は、各機能部の初期化手順にかかる時間（時間Ｔｃ）を待つ状態に移行する。
ここで、ＧＡ６０は、時刻ｔ３においてリセットが解除され、内部状態の初期化が終了した場合に、パワーマネジメント回路１０にＲＥＡＤＹ信号を送信する（時刻ｔ４）。パワーマネジメント回路１０がＲＥＡＤＹ信号を受信した時刻ｔ４が、ＧＡ６０の使用可能点となる。
【００４２】
すると、パワーマネジメント回路１０がＧＡ６０からＲＥＡＤＹ信号を受信することに対応して、ＧＡ６０に処理の実行を指示する制御信号が出力される。
なお、上述した待ち時間Ｔcの間にＲＥＡＤＹ信号を受信しない場合、パワーマネジメント回路１０は、待ち時間Ｔcの経過を待って、ＧＡ６０に制御信号を出力する。
続いて、上述の電源投入シーケンスの具体的な適用場面となるシステム制御処理について説明する。
【００４３】
図４は、情報処理装置１が実行するシステム制御処理を示すフローチャートである。
また、図５は、システム制御処理における表示画面例を示す図である。以下、図５に示す表示画面を適宜参照しつつ、システム制御処理について説明する。
図４において、ユーザによって、いずれかのボタンに対する操作、通信ケーブルの接続あるいはメモリカードの接続が行われると（ステップＳ１）、パワーマネジメント回路１０は、ＣＰＵドメイン、不揮発性ドメインおよび揮発性ドメインに電力を供給する（ステップＳ２）。このとき、ＣＰＵドメイン、不揮発性ドメインおよび揮発性ドメインの各部に含まれる機能部それぞれにおいて、図３に示す電源投入シーケンスが実行される。
【００４４】
すると、ＣＰＵ２０は、ＲＯＭ３０に記憶されたＯＳおよびアプリケーションプログラムの実行を開始すると共に、ＲＡＭ５０の所定領域をワークメモリとして確保する（ステップＳ３）。
次に、ＣＰＵ２０は、パワーマネジメント回路１０からイベント通知信号を取得し（ステップＳ４）、発生したイベントの内容を判定する（ステップＳ５）。
【００４５】
ステップＳ５において、発生したイベントがいずれかのボタンに対する入力操作であると判定した場合、ＣＰＵ２０は、入力操作されたボタンの種別を判定する（ステップＳ６）。
ステップＳ６において、ページ戻りボタン４が入力操作されたと判定した場合、ＣＰＵ２０は、ＮＶＲＡＭ４０から現在閲覧中のページ番号を取得し（ステップＳ７）、そのページ番号から“１”減じて現在閲覧中のページを１ページ戻す（ステップＳ８）。
【００４６】
また、ステップＳ６において、ページめくりボタン５が入力操作されたと判定した場合、ＣＰＵ２０は、ＮＶＲＡＭ４０から現在閲覧中のページ番号を取得し（ステップＳ９）、そのページ番号に“１”加算して現在閲覧中のページを１ページ進める（ステップＳ１０）。
ステップＳ８およびステップＳ１０の後、パワーマネジメント回路１０は、メモリカードドメインに電力を供給し（ステップＳ１１）、新たに現在閲覧中のページとなったページのデータをメモリカードから読み込む（ステップＳ１２）。ステップＳ１１では、メモリカードドメインに含まれるメモリカードコントローラ８０において、図３に示す電源投入シーケンスが実行される。
【００４７】
そして、パワーマネジメント回路１０は、メモリカードドメインに対する電力の供給を停止し（ステップＳ１３）、描画ドメインに電力を供給する（ステップＳ１４）。このとき、描画ドメインに含まれる機能部それぞれにおいて、図３に示す電源投入シーケンスが実行される。
すると、ＣＰＵ２０は、描画ドメインの各部に現在閲覧中のページを表示（図５（ａ）参照）させ（ステップＳ１５）、パワーマネジメント回路１０が、描画ドメインに対する電力の供給を停止する（ステップＳ１６）。
【００４８】
その後、パワーマネジメント回路１０は、ＣＰＵドメイン、不揮発性ドメインおよび揮発性ドメインに対する電力の供給を停止し（ステップＳ１７）、これに対応して、ＣＰＵ２０が停止し、ＲＡＭ５０のデータが消去される（ステップＳ１８）。なお、ステップＳ１８において、ＮＶＲＡＭ４０に記憶されたデータは、電力の供給停止後も保持される。
また、ステップＳ６において、一覧表示ボタン６が入力操作されたと判定した場合、ＣＰＵ２０は、メモリカードドメインに電力を供給し（ステップＳ１９）、一覧表示用の縮小画面データを読み込む（ステップＳ２０）。ステップＳ１９では、メモリカードドメインに含まれるメモリカードコントローラ８０において、図３に示す電源投入シーケンスが実行される。
【００４９】
そして、パワーマネジメント回路１０は、メモリカードドメインに対する電力の供給を停止し（ステップＳ２１）、描画ドメインに電力を供給する（ステップＳ２２）。このとき、描画ドメインに含まれる機能部それぞれにおいて、図３に示す電源投入シーケンスが実行される。
すると、ＣＰＵ２０は、描画ドメインの各部に縮小画面データを一覧表示（図５（ｂ）参照）させ（ステップＳ２３）、パワーマネジメント回路１０が、描画ドメインに対する電力の供給を停止する（ステップＳ２４）。
【００５０】
次いで、ＣＰＵ２０が、ＮＶＲＡＭ４０から現在閲覧中のページ番号を取得し（ステップＳ２５）、一覧表示画面において表示するページ選択用のカーソルを現在閲覧中のページに設定する（ステップＳ２６）。
そして、パワーマネジメント回路１０は、描画ドメインに電力を供給し（ステップＳ２７）、ＣＰＵ２０は、描画ドメインの各部に現在閲覧中のページ番号に対応する縮小画面にページ選択用のカーソルを表示（図５（ｃ）参照）させる（ステップＳ２８）。ステップＳ２７では、描画ドメインに含まれる機能部それぞれにおいて、図３に示す電源投入シーケンスが実行される。
【００５１】
続いて、パワーマネジメント回路１０は、描画ドメインに対する電力の供給を停止し（ステップＳ２９）、ＣＰＵ２０が、ユーザによって入力操作されたボタンの種別を判定する（ステップＳ３０）。
ステップＳ３０において、ページ戻りボタン４が入力操作されたと判定した場合、ＣＰＵ２０は、ページ選択用のカーソルを前ページの縮小画面に移動させ（ステップＳ３１）、ページめくりボタン５が入力操作されたと判定した場合、ＣＰＵ２０は、次ページの縮小画面に移動させる（ステップＳ３２）。
【００５２】
ステップＳ３１，Ｓ３２の後、ＣＰＵ２０は、ステップＳ２７の処理に移行する。
また、ステップＳ３０において、決定ボタン７が入力操作されたと判定した場合、ＣＰＵ２０は、カーソルが設定された縮小画面に対応するページ番号を現在閲覧中のページ番号に設定し（ステップＳ３３）、ステップＳ１１の処理に移行する。
ステップＳ５において、発生したイベントが通信ケーブルの接続であると判定した場合、パワーマネジメント回路１０は、描画ドメインに電力を供給し（ステップＳ３４）、ＣＰＵ２０は、通信ケーブルからデータを受信中である旨の表示（図５（ｄ）参照）を行う（ステップＳ３５）。ステップＳ３４では、描画ドメインに含まれる機能部それぞれにおいて、図３に示す電源投入シーケンスが実行される。
【００５３】
そして、パワーマネジメント回路１０は、描画ドメインに対する電力の供給を停止し（ステップＳ３６）、続いて、通信ドメインに電力を供給する（ステップＳ３７）。このとき、通信ドメインに含まれる通信コントローラ９０において、図３に示す電源投入シーケンスが実行される。
次に、パワーマネジメント回路１０は、メモリカードドメインに電力を供給し（ステップＳ３８）、通信ケーブルからデータ（コンテンツ）の受信を開始する（ステップＳ３９）。ステップＳ３８では、メモリカードドメインに含まれるメモリカードコントローラ８０において、図３に示す電源投入シーケンスが実行される。
【００５４】
次いで、ＣＰＵ２０は、通信ケーブルから受信したデータをメモリカードに書き込み（ステップＳ４０）、データの受信が終了したか否かの判定を行う（ステップＳ４１）。
ステップＳ４１において、データの受信が終了していないと判定した場合、ＣＰＵ２０は、ステップＳ３９の処理に移行し、データの受信が終了したと判定した場合、パワーマネジメント回路１０は、メモリカードドメインに対する電力の供給を停止する（ステップＳ４２）。
【００５５】
さらに、パワーマネジメント回路１０は、通信ドメインに対する電力の供給を停止し（ステップＳ４３）、続いて、描画ドメインに電力を供給する（ステップＳ４４）。このとき、描画ドメインに含まれる機能部それぞれにおいて、図３に示す電源投入シーケンスが実行される。
そして、ＣＰＵ２０は、描画ドメインの各部に通信ケーブルからのデータの受信が終了した旨の表示（図５（ｅ）参照）を行わせ（ステップＳ４５）、続いて、パワーマネジメント回路１０が、描画ドメインに対する電力の供給を停止する（ステップＳ４６）。
【００５６】
次に、ＣＰＵ２０は、ＮＶＲＡＭ４０に記憶されている情報を初期化して、現在閲覧中のページ番号を“１”に設定し（ステップＳ４７）、ステップＳ１１の処理に移行する。
また、ステップＳ５において、発生したイベントがメモリカードの接続であると判定した場合、ＣＰＵ２０は、ステップＳ４７の処理に移行する。
情報処理装置１は、上述の処理を繰り返すことにより、ユーザが電源の投入、切断を意識して行うことなく、省電力に動作する。そして、情報処理装置１の各部に電源が投入される場合、図３に示す電源投入シーケンスが逐次実行されることによって、より迅速に、ボタン操作等に対応する処理が実行される。
【００５７】
以上のように、本実施の形態に係る情報処理装置１は、各機能部に電力を供給しない状態を基本とし、動作が必要な場合にのみ電力を供給して処理を行わせる。そして、このとき、電力の供給、クロックの供給およびリセット信号の解除を経る電源投入シーケンスが実行されると共に、電源投入シーケンスにおいては、各機能部において動作が可能な場合に、ＲＥＡＤＹ信号が出力される。
【００５８】
したがって、情報処理装置１の各部において電源が切断された状態を基本とし、入力操作等に対応して電源の投入が繰り返される場合であっても、電源の投入から処理の開始までの待ち時間を短縮することができ、より迅速に処理を行うことが可能となる。
このような効果によって、特に、リーク電流が問題となるＣＰＵ２０についても、電力を供給しない状態を基本とすることができることから、情報処理装置１を極めて低消費電力な装置とすることが可能となる。
【００５９】
また、情報処理装置１は、パワーマネジメントドメインを単位として電力の供給を行うことから、各機能部それぞれを対象として電力制御を行うより、回路規模および制御の容易性の面で有利なものとなる。さらに、それぞれのパワーマネジメントドメインに含まれる各機能部において、同時に電源投入シーケンスが実行されるため、動作の必要が生じた機能部ごとに順次電源投入シーケンスを実行するより、処理を迅速に行うことが可能となる。
【００６０】
即ち、情報処理装置１における電源投入から処理の開始までの時間を短縮し、より迅速に処理を行うことが可能となる。
【図面の簡単な説明】
【００６１】
【図１】本発明に係る情報処理装置１の外観構成を示す図である。
【図２】情報処理装置１の内部構成を示す機能ブロック図である。
【図３】情報処理装置１において、各機能部に電源を投入する場合の電源投入シーケンスを示すタイミングチャートである。
【図４】情報処理装置１が実行するシステム制御処理を示すフローチャートである。
【図５】システム制御処理における表示画面例を示す図である。
【図６】ボタンの操作等が行われた場合に周辺回路に電力が供給される手順を表すシーケンス図である。
【符号の説明】
【００６２】
１  情報処理装置、２  本体、３  ディスプレイ、４  ページ戻りボタン、５  ページめくりボタン、６  一覧表示ボタン、７  決定ボタン、８  通信コネクタ、９  メモリカードスロット、１０  パワーマネジメント回路、２０  ＣＰＵ、３０  ＲＯＭ、４０  ＮＶＲＡＭ、５０  ＲＡＭ、６０  ＧＡ、７０  ディスプレイコントローラ、８０  メモリカードコントローラ、９０  通信コントローラ、１００  バス
【図１】
2006048570.tif 000003
【図２】
2006048570.tif 000004
【図３】
2006048570.tif 000005
【図４】
2006048570.tif 000006
【図５】
2006048570.tif 000007
【図６】
2006048570.tif 000008